(57)【特許請求の範囲】
【請求項１】
用紙を収容する１または複数の給紙装置と、
前記給紙装置から給紙された用紙に画像を形成する画像形成手段と、
前記用紙に適した画像形成を行うための用紙属性を入力する用紙属性入力手段と、
前記属性入力手段によって入力された用紙属性を保存する用紙属性保存手段と、
前記属性保存手段によって保存された用紙属性を識別する識別子を該用紙属性に付与する用紙属性識別子付与手段と、
前記用紙属性保存手段によって保存された用紙属性を、前記用紙属性識別子付与手段によって付与された識別子をユーザが選択する前記給紙装置に指定することによって、当該給紙装置に収納する用紙の用紙属性として設定する用紙属性設定手段と、
画像形成指示装置に接続され、該画像形成指示装置から指定のジョブに対する画像形成指示を受付ける画像形成指示受付手段と、
前記画像形成指示受付手段が受付けた前記画像形成指示が、前記識別子付与手段により付与された識別子と、画像形成に使用される用紙サイズとを独立して指定している場合、前記ジョブに基づく画像形成を開始する用紙の給紙対象の給紙装置として、前記画像形成指示に含まれる識別子が前記用紙属性設定手段によって指定された識別子である給紙装置であって、かつ、前記画像形成指示に含まれる用紙サイズの用紙が収納されている給紙装置を選択する給紙装置選択手段と、
前記画像形成指示受付手段が受付けた前記画像形成指示に、前記給紙装置の中から前記用紙属性設定手段による設定が行われていない給紙装置を所望する選択と、画像形成に使用される用紙サイズの指定とが含まれている場合、前記ジョブに基づく画像形成を開始する用紙の給紙対象の給紙装置として、前記画像形成指示に含まれる識別子が前記用紙属性設定手段による設定が行われていない給紙装置であって、かつ、前記画像形成指示に含まれる用紙サイズの用紙が収納されている給紙装置を選択するカスタム紙以外給紙装置選択手段と、
前記給紙対象の給紙装置が識別子により用紙属性が設定されていない場合は、用紙に対して標準の設定での画像形成を行い、前記給紙対象の給紙装置が識別子により用紙属性が設定されている場合は、用紙に対して当該用紙属性に基づき最適な画像形成を行うように制御を行う画像形成制御手段と
を具備する画像形成装置。
【請求項２】
前記１または複数の給紙トレイに前記用紙属性設定手段によって指定されたそれぞれの識別子は、前記画像形成指示により指定された識別子と全て異なるか否かを調べる識別子判別手段と、
前記識別子判別手段によって、前記１または複数の給紙トレイに前記用紙属性設定手段によって指定されたそれぞれの識別子が、前記画像形成指示により指定された識別子と全て異なると判別された場合には、用紙に画像形成を行わない画像形成中止手段と
を更に具備する請求項１記載の画像形成装置。
【請求項３】
前記給紙装置選択手段により選択された給紙装置に用紙切れが発生した場合には、前記画像形成指示に含まれる識別子が前記用紙属性設定手段によって指定された給紙装置が選択されて画像形成の続行が行われる画像形成続行手段
を更に具備する請求項１記載の画像形成装置。
【請求項４】
前記画像形成中止手段によって画像形成が行われない場合には、前記画像形成指示によって指定された用紙サイズを収納している給紙トレイに対して、前記画像形成指示に含まれている識別子を設定することで、該給紙トレイに用紙属性を設定して、該給紙トレイより給紙を行って画像形成を行う用紙属性変更画像形成手段
を更に具備する請求項２記載の画像形成装置。
【請求項５】
前記画像形成中止手段によって画像形成が行われない場合には、前記画像形成指示の次に前記画像形成指示装置より送信される次回画像形成指示に含まれる識別子が前記用紙属性設定手段によって指定された識別子である給紙装置であって、かつ、該次回画像形成指示に含まれる用紙サイズの用紙が収納されている給紙装置が存在するか否かを判別する給紙装置判別手段と、
前記給紙装置判別手段により、該次回画像形成指示に含まれる識別子が前記用紙属性設定手段によって指定された識別子である給紙装置であって、かつ、該次回画像形成指示に含まれる用紙サイズの用紙が収納されている給紙装置が存在すると判別された場合には、前記画像形成指示を保留して、該次回画像形成指示の画像形成が、前記給紙装置判別手段によって存在が確認された当該給紙装置より行われる次回画像形成指示画像形成手段と
を更に具備する請求項２記載の画像形成装置。
【請求項６】
前記１または複数の給紙トレイに収納された用紙の用紙サイズは、前記画像形成指示により指定された用紙サイズと全て異なるか否かを調べる用紙サイズ判別手段と、
前記識別子判別手段によって、前記１または複数の給紙トレイに前記用紙属性設定手段によって指定されたそれぞれの識別子が、前記画像形成指示により指定された用紙サイズと全て異なると判明された場合には、用紙に画像形成を行わない画像形成中止手段と
を更に具備する請求項１記載の画像形成装置。
【請求項７】
前記給紙装置選択手段により選択された給紙装置に用紙切れが発生した場合には、前記用紙属性設定手段による設定が行われていない給紙装置の中から、前記画像形成指示に含まれている用紙サイズの用紙を収納している給紙装置が選択されて画像形成の続行が行われる画像形成続行手段
を更に具備する請求項１記載の画像形成装置。
【請求項８】
前記画像形成中止手段によって画像形成が行われない場合には、前記画像形成指示の次に前記画像形成指示装置より送信される次回画像形成指示に含まれる用紙サイズの用紙を収納している給紙装置が存在するか否かを判別する給紙装置判別手段と、
前記給紙装置判別手段により、該次回画像形成指示に含まれる用紙サイズの用紙を収納している給紙装置が存在すると判別された場合には、前記画像形成指示を保留して、該次回画像形成指示の画像形成が、前記給紙装置判別手段によって存在が確認された当該給紙装置より行われる次回画像形成指示画像形成手段と
を更に具備する請求項６記載の画像形成装置。
【請求項９】
用紙を収容する１または複数の給紙装置を有し、前記給紙装置から給紙された用紙に画像を形成する画像形成処理を行う画像形成装置の画像形成方法において、
前記用紙に適した画像形成を行うための用紙属性を用紙属性入力手段により入力し、
前記属性入力手段によって入力された用紙属性を用紙属性保存手段により保存し、
前記属性保存手段によって保存された用紙属性を識別する識別子を用紙属性識別子付与手段により該用紙属性に付与し、
前記用紙属性保存手段によって保存された用紙属性を、前記用紙属性識別子付与手段によって付与された識別子をユーザが選択する前記給紙装置に指定することによって、当該給紙装置に収納する用紙の用紙属性として用紙属性設定手段により設定し、
画像形成指示装置に接続され、該画像形成指示装置から指定のジョブに対する画像形成指示を画像形成指示受付手段により受付け、
前記画像形成指示受付手段が受付けた前記画像形成指示が、前記識別子付与手段により付与された識別子と、画像形成に使用される用紙サイズとを独立して指定している場合には、前記ジョブに基づく画像形成を開始する用紙の給紙対象の給紙装置として、前記画像形成指示に含まれる識別子が前記用紙属性設定手段によって指定された識別子である給紙装置であって、かつ、前記画像形成指示に含まれる用紙サイズの用紙が収納されている給紙装置を選択し、また、前記画像形成指示受付手段が受付けた前記画像形成指示に、前記給紙装置の中から前記用紙属性設定手段による設定が行われていない給紙装置を所望する選択と、画像形成に使用される用紙サイズの指定とが含まれている場合、前記ジョブに基づく画像形成を開始する用紙の給紙対象の給紙装置として、前記画像形成指示に含まれる識別子が前記用紙属性設定手段による設定が行われていない給紙装置であって、かつ、前記画像形成指示に含まれる用紙サイズの用紙が収納されている給紙装置を選択し、
選択された前記給紙対象の給紙装置が識別子により用紙属性が設定されていない場合は、用紙に対して標準の設定での画像形成を行い、選択された前記給紙対象の給紙装置が識別子により用紙属性が設定されている場合は、用紙に対して当該用紙属性に基づき最適な画像形成を行うように制御を行う
画像形成方法。
【発明の詳細な説明】
【技術分野】
【０００１】
本発明は、用紙を収納する１または複数の給紙装置を有し、給紙装置に収納されている用紙を使用して適切な画像形成が行えるように、収納されている用紙に適した用紙属性を給紙装置に対して設定することができる画像形成装置およびその方法に関し、特に、用紙属性設定による画像形成が必要なカスタム紙と用紙属性設定の必要のない普通紙とを区別した画像形成指示が行われる画像形成装置およびその方法に関する。
【背景技術】
【０００２】
一般に、給紙装置に収納された用紙に画像を形成する際、その用紙のサイズや紙種によって最適な速度や温度で画像形成を行ったり、用紙の給紙時における用紙間の密着を解くために用紙に適した強さや時間でエアーを吹き付ける機能を持つ画像形成装置は知られている。
【０００３】
従来、これらの動作を制御する用紙属性(用紙パラメータ)は、そのサイズや紙種(コート紙・非コート紙)などとあまり多くなく、そのために、その設定も給紙装置に設置された設定スイッチを用いて設定するのが普通であった。
【０００４】
このような場合、給紙装置を開けて用紙を収容する際、同時に設定スイッチにより用紙属性を設定してから給紙装置を閉めることで、給紙装置に収容された用紙とその用紙に設定された各種属性は、設定スイッチの選択ミスを除けば常に一致しており、給紙装置に収容された用紙に最適な制御が可能であった。
【０００５】
しかし近年、画像形成装置で制御可能な紙種や、最適な画像形成を行うための用紙属性がより細分化され多種に及んだため、従来のような、用紙属性の設定を給紙装置に設置された設定スイッチですべて行うことが困難となり、そこで、特許文献１に示すように、画像形成装置に備えられたユーザインターフェース装置を用いて設定したり、また、ネットワーク等を介して接続されるパーソナルコンピュータなどから、各種用紙属性を設定する構成が提案されている。
【特許文献１】特開２００３−２７０８７２号公報
【発明の開示】
【発明が解決しようとする課題】
【０００６】
さて、画像形成装置において給紙される給紙装置が選択される際には、ユーザが用紙サイズ等を指定することにより、画像形成装置が自動的に指定された内容に対応する給紙装置を選択するＡＰＳ(Auto Paper Selection)が知られている。
【０００７】
そして、上述のような用紙属性の設定が必要な用紙の画像形成（カスタム紙の画像形成）の際に、用紙サイズを指定して画像形成を行う際に、カスタム紙としてコート紙やアート紙などを通常とは区別して、どちらかの用紙のみを指定して給紙装置の選択が行われるようにしたいという要求がある。
【０００８】
そこで、用紙属性設定による画像形成が必要なカスタム紙と用紙属性設定の必要のない普通紙とを区別した画像形成指示が行われる画像形成装置およびその方法を提供することを目的とする。
【課題を解決するための手段】
【０００９】
上記目的を達成する為、請求項１の発明の画像形成装置は、用紙を収容する１または複数の給紙装置と、前記給紙装置から給紙された用紙に画像を形成する画像形成手段と、前記用紙に適した画像形成を行うための用紙属性を入力する用紙属性入力手段と、前記属性入力手段によって入力された用紙属性を保存する用紙属性保存手段と、前記属性保存手段によって保存された用紙属性を識別する識別子を該用紙属性に付与する用紙属性識別子付与手段と、前記用紙属性保存手段によって保存された用紙属性を、前記用紙属性識別子付与手段によって付与された識別子をユーザが選択する前記給紙装置に指定することによって、当該給紙装置に収納する用紙の用紙属性として設定する用紙属性設定手段と、画像形成指示装置に接続され、該画像形成指示装置から指定のジョブに対する画像形成指示を受付ける画像形成指示受付手段と、前記画像形成指示受付手段が受付けた前記画像形成指示が、前記識別子付与手段により付与された識別子と、画像形成に使用される用紙サイズとを独立して指定している場合、前記ジョブに基づく画像形成を開始する用紙の給紙対象の給紙装置として、前記画像形成指示に含まれる識別子が前記用紙属性設定手段によって指定された識別子である給紙装置であって、かつ、前記画像形成指示に含まれる用紙サイズの用紙が収納されている給紙装置を選択する給紙装置選択手段と、前記画像形成指示受付手段が受付けた前記画像形成指示に、前記給紙装置の中から前記用紙属性設定手段による設定が行われていない給紙装置を所望する選択と、画像形成に使用される用紙サイズの指定とが含まれている場合、前記ジョブに基づく画像形成を開始する用紙の給紙対象の給紙装置として、前記画像形成指示に含まれる識別子が前記用紙属性設定手段による設定が行われていない給紙装置であって、かつ、前記画像形成指示に含まれる用紙サイズの用紙が収納されている給紙装置を選択するカスタム紙以外給紙装置選択手段と、前記給紙対象の給紙装置が識別子により用紙属性が設定されていない場合は、用紙に対して標準の設定での画像形成を行い、前記給紙対象の給紙装置が識別子により用紙属性が設定されている場合は、用紙に対して当該用紙属性に基づき最適な画像形成を行うように制御を行う画像形成制御手段とを具備するように構成される。
【００１０】
また、請求項２の発明は、請求項１の発明において、前記１または複数の給紙トレイに前記用紙属性設定手段によって指定されたそれぞれの識別子は、前記画像形成指示により指定された識別子と全て異なるか否かを調べる識別子判別手段と、前記識別子判別手段によって、前記１または複数の給紙トレイに前記用紙属性設定手段によって指定されたそれぞれの識別子が、前記画像形成指示により指定された識別子と全て異なると判別された場合には、用紙に画像形成を行わない画像形成中止手段とを更に具備するように構成される。
【００１１】
また、請求項３の発明は、請求項１の発明において、前記給紙装置選択手段により選択された給紙装置に用紙切れが発生した場合には、前記画像形成指示に含まれる識別子が前記用紙属性設定手段によって指定された給紙装置が選択されて画像形成の続行が行われる画像形成続行手段を更に具備するように構成される。
【００１２】
また、請求項４の発明は、請求項２の発明において、前記画像形成中止手段によって画像形成が行われない場合には、前記画像形成指示によって指定された用紙サイズを収納している給紙トレイに対して、前記画像形成指示に含まれている識別子を設定することで、該給紙トレイに用紙属性を設定して、該給紙トレイより給紙を行って画像形成を行う用紙属性変更画像形成手段を更に具備するように構成される。
【００１３】
また、請求項５の発明は、請求項２の発明において、前記画像形成中止手段によって画像形成が行われない場合には、前記画像形成指示の次に前記画像形成指示装置より送信される次回画像形成指示に含まれる識別子が前記用紙属性設定手段によって指定された識別子である給紙装置であって、かつ、該次回画像形成指示に含まれる用紙サイズの用紙が収納されている給紙装置が存在するか否かを判別する給紙装置判別手段と、前記給紙装置判別手段により、該次回画像形成指示に含まれる識別子が前記用紙属性設定手段によって指定された識別子である給紙装置であって、かつ、該次回画像形成指示に含まれる用紙サイズの用紙が収納されている給紙装置が存在すると判別された場合には、前記画像形成指示を保留して、該次回画像形成指示の画像形成が、前記給紙装置判別手段によって存在が確認された当該給紙装置より行われる次回画像形成指示画像形成手段とを更に具備するように構成される。
【００１４】
また、請求項６の発明は、請求項１の発明において、前記１または複数の給紙トレイに収納された用紙の用紙サイズは、前記画像形成指示により指定された用紙サイズと全て異なるか否かを調べる用紙サイズ判別手段と、前記識別子判別手段によって、前記１または複数の給紙トレイに前記用紙属性設定手段によって指定されたそれぞれの識別子が、前記画像形成指示により指定された用紙サイズと全て異なると判明された場合には、用紙に画像形成を行わない画像形成中止手段とを更に具備するように構成される。
【００１５】
また、請求項７の発明は、請求項１の発明おいて、前記給紙装置選択手段により選択された給紙装置に用紙切れが発生した場合には、前記用紙属性設定手段による設定が行われていない給紙装置の中から、前記画像形成指示に含まれている用紙サイズの用紙を収納している給紙装置が選択されて画像形成の続行が行われる画像形成続行手段を更に具備するように構成される。
【００１６】
また、請求項８の発明は、請求項６の発明において、前記画像形成中止手段によって画像形成が行われない場合には、前記画像形成指示の次に前記画像形成指示装置より送信される次回画像形成指示に含まれる用紙サイズの用紙を収納している給紙装置が存在するか否かを判別する給紙装置判別手段と、前記給紙装置判別手段により、該次回画像形成指示に含まれる用紙サイズの用紙を収納している給紙装置が存在すると判別された場合には、前記画像形成指示を保留して、該次回画像形成指示の画像形成が、前記給紙装置判別手段によって存在が確認された当該給紙装置より行われる次回画像形成指示画像形成手段とを更に具備するように構成される。
【００１７】
また、請求項９の発明の画像形成方法は、用紙を収容する１または複数の給紙装置を有し、前記給紙装置から給紙された用紙に画像を形成する画像形成処理を行う画像形成装置の画像形成方法において、前記用紙に適した画像形成を行うための用紙属性を用紙属性入力手段により入力し、前記属性入力手段によって入力された用紙属性を用紙属性保存手段により保存し、前記属性保存手段によって保存された用紙属性を識別する識別子を用紙属性識別子付与手段により該用紙属性に付与し、前記用紙属性保存手段によって保存された用紙属性を、前記用紙属性識別子付与手段によって付与された識別子をユーザが選択する前記給紙装置に指定することによって、当該給紙装置に収納する用紙の用紙属性として用紙属性設定手段により設定し、画像形成指示装置に接続され、該画像形成指示装置から指定のジョブに対する画像形成指示を画像形成指示受付手段により受付け、前記画像形成指示受付手段が受付けた前記画像形成指示が、前記識別子付与手段により付与された識別子と、画像形成に使用される用紙サイズとを独立して指定している場合には、前記ジョブに基づく画像形成を開始する用紙の給紙対象の給紙装置として、前記画像形成指示に含まれる識別子が前記用紙属性設定手段によって指定された識別子である給紙装置であって、かつ、前記画像形成指示に含まれる用紙サイズの用紙が収納されている給紙装置を選択し、また、前記画像形成指示受付手段が受付けた前記画像形成指示に、前記給紙装置の中から前記用紙属性設定手段による設定が行われていない給紙装置を所望する選択と、画像形成に使用される用紙サイズの指定とが含まれている場合、前記ジョブに基づく画像形成を開始する用紙の給紙対象の給紙装置として、前記画像形成指示に含まれる識別子が前記用紙属性設定手段による設定が行われていない給紙装置であって、かつ、前記画像形成指示に含まれる用紙サイズの用紙が収納されている給紙装置を選択し、選択された前記給紙対象の給紙装置が識別子により用紙属性が設定されていない場合は、用紙に対して標準の設定での画像形成を行い、選択された前記給紙対象の給紙装置が識別子により用紙属性が設定されている場合は、用紙に対して当該用紙属性に基づき最適な画像形成を行うように制御を行う。
【発明の効果】
【００２０】
本発明の画像形成装置およびその方法によれば、用紙属性設定による画像形成が必要なカスタム紙と用紙属性設定の必要のない普通紙とを区別した画像形成指示が行われることができるという効果を奏する。
【発明を実施するための最良の形態】
【００２１】
以下、本発明に係わる画像形成装置およびその制御方法の実施例について添付図面を参照して詳細に説明する。
【００２２】
図１は、本発明に係わる画像形成装置およびその制御方法が提供される画像形成装置の一概略構成例を示すブロック図である。
【００２３】
図１において、この画像形成装置１００は、ネットワーク２０を経由してプリント制御装置３０、画像読取装置４０、情報処理装置５０−１〜５０−ｎが接続されている。
【００２４】
ここで、プリント制御装置３０は、画像形成装置１００を用いた各種文書の画像形成制御を行うもので、プリントサーバを構成するものである。
【００２５】
また、画像読取装置４０は、画像形成装置１００を用いて画像形成する画像を読み取るもので、ネットワークスキャナとして構成される。
【００２６】
また、情報処理装置５０−１〜５０−ｎは、画像形成装置１００を用いて画像形成する文書の処理を行うもので、例えば、各ユーザのパーソナルコンピュータがこれに相当する。
【００２７】
ここで、プリント制御装置３０本発明に係わる画像形成装置１００で画像形成に使用する用紙に適した画像形成を可能とする用紙属性を入力するユーザインターフェース部を有している。
【００２８】
画像形成装置１００は、ユーザインターフェース部１１０、制御部１２０、画像形成部１３０を具備して構成される。
【００２９】
ここで、ユーザインターフェース部１１０は、この発明に係わる画像形成装置１００で用紙属性を入力するものである。
【００３０】
また、制御部１２０は、画像形成部１３０を制御するもので、ユーザインターフェース部１１０からおよびプリント制御装置が有するユーザインターフェース部より入力される用紙属性を受け付けて保存する不揮発性メモリ等で構成される用紙属性保存部１２１と、識別子を生成して用紙属性に識別子を付与する識別子付与部１２２と、給紙トレイの用紙属性設定部より指定された識別子に基づいて該識別子に対応する用紙属性保存部１２１に保存された用紙属性を当該給紙トレイに対する設定として有効にする用紙属性設定有効部１２４と、給紙トレイの用紙属性設定部に入力された用紙属性の識別子を検知する用紙属性設定検知部１２３とを有している。
【００３１】
また、画像形成部１３は、複数の給紙トレイ、すなわち、給紙トレイ（給紙トレイａ）１３１ａ、給紙トレイ（給紙トレイｂ）１３１ｂ、給紙トレイ（給紙トレイｃ）１３１ｃ、給紙トレイ（給紙トレイｄ）１３１ｄを有する。
【００３２】
給紙トレイを開けるとは、給紙トレイが画像形成装置１００より外されて、当該給紙トレイに収納された用紙を使用した画像形成が行えない状態を指し、それに対して、給紙トレイを閉じるとは、外された給紙トレイが画像形成装置１００に設置された状態を指す。
【００３３】
さらに、各給紙トレイは、ユーザより識別子が指定されて給紙トレイに収容する用紙に適した用紙属性を設定する手段となる用紙属性設定部を有しており、給紙トレイ（給紙トレイａ）１３１ａには用紙属性設定部１３２ａ、給紙トレイ（給紙トレイｂ）１３１ｂには用紙属性設定部１３２ｂ、給紙トレイ（給紙トレイｃ）１３１ｃには用紙属性設定部１３２ｃ、給紙トレイ（給紙トレイｄ）１３１ｄには用紙属性設定部１３２ｄが備えられている。
【００３４】
次に、本実施例の画像形成装置１００の要部機能について、図２を参照して説明する。
【００３５】
図２は、本実施例の画像形成装置１００の要部機能構成を示すブロック図である。
【００３６】
画像形成装置１００の要部機能を示すブロック図は、図１を参照して説明した、ユーザインターフェース部１１０、用紙属性保存部１２１、識別子付与部１２２、用紙属性設定有効部１２４、用紙属性設定検知部１２３、画像形成部１３０、また、用紙属性設定部２０１で構成される。
【００３７】
用紙属性設定部２０１は、画像形成部１３０内の各給紙トレイ内に設けられた用紙属性設定部を示すものである。
【００３８】
画像形成装置１００で、画像形成に使用される用紙に適した用紙属性を設定する際に、ユーザインターフェース部１１０よりユーザによって、該用紙に適した設定で画像形成を可能とするように、「２ｎｄＢＴＢ電圧」、「用紙カール量」、「ＮＩＰ電圧」、「エアアシスト動作」が入力されて用紙属性として用紙属性保存部１２１に保存される。
【００３９】
そして、識別子付与部１２３において、保存された用紙属性に対して識別子を付与する処理が行われる。
【００４０】
識別子を付与する処理は、識別子付与部１２３において、数値の識別子が自動的に生成されてユーザが入力した用紙属性に対して生成された識別子が付与される。
【００４１】
また、生成される識別子は、数値の識別子ではなく、名称の識別子でもよく、或いは、ユーザが任意の識別子を生成して、入力した用紙属性に対して付与されるようにも構成される。
【００４２】
保存された用紙属性に対して識別子が付与されると、用紙属性保存部１２１において、該用紙属性と該識別子とが対応付けられて保存される。
【００４３】
そして、ユーザが画像形成を行う際に、用紙に適した設定により画像形成を必要とするカスタム紙を使用して画像形成を行うことを所望する場合には、ユーザは、画像形成に使用されるカスタム紙を給紙トレイに収納し、該給紙トレイに備えられた用紙属性設定部２０１より該カスタム紙に適した設定の内容の用紙属性に対応する識別子を入力する。
【００４４】
画像形成が行われる際に、用紙属性設定部２０１に識別子が入力された給紙トレイが使用される場合には、用紙属性設定検知部１２３が該給紙トレイの用紙属性設定部２０１に識別子が入力されたことを検知して、用紙属性設定有効部１２４が入力された該識別子に対応する用紙属性を該給紙トレイに収納された用紙を画像形成する際に設定して、該給紙トレイに収納された用紙が使用されて画像形成部１３０で画像形成が行われる。
【００４５】
また、画像形成が行われる際に、用紙属性設定部２０１に識別子が入力されなかった給紙トレイが使用される場合には、用紙属性設定検知部１２３が該給紙トレイの用紙属性設定部２０１に識別子が入力されなかったことを検知して、該給紙トレイに収納された用紙が使用されて画像形成部１３０で画像形成が行われる。
【００４６】
次に、ユーザによって、用紙属性保存部１２１に保存される用紙属性が、画像形成装置１００のユーザインターフェース部１１０或いはプリント制御装置３０のユーザインターフェース部より入力され、識別子付与部１２２により識別子が付与される様子を示したユーザインターフェースの画面について図３を参照して説明を行う。
【００４７】
図３は、ユーザによって、用紙属性保存部１２１に保存される用紙属性が、画像形成装置１００のユーザインターフェース部１１０或いはプリント制御装置３０のユーザインターフェース部より入力され、そして識別子付与部１２２によって識別子が入力される様子を示したユーザインターフェースの画面を示した画面構成図であり、図３（ａ）は画像形成装置１００のユーザインターフェース部１１０、或いは情報処理装置５０−１〜５０−ｎの遠隔操作によりプリント制御装置３０のユーザインターフェースより用紙属性保存部１２１に保存される用紙属性が入力されるユーザインターフェースの画面を示した画面構成図であり、図３（ｂ）は用紙属性保存部１２１に保存された用紙属性に対して識別子付与部１２２によって識別子が付与されるユーザインターフェースの画面を示した画面構成図である。
【００４８】
図３（ａ）に示したように、ユーザインターフェース部に、画像形成に使用する用紙の「２ｎｄＢＴＢ電圧」、「用紙カール量」、「ＮＩＰ電圧」、「エアアシスト動作」に関する用紙属性が表示され、ここで、この用紙属性をそのまま用いる場合は、ユーザはこの状態で決定ボタン３０１を押下し、この用紙属性を変更する場合は、表示されている用紙属性を変更した後、決定ボタン３０１を押下し、用紙属性の入力が行われる。
【００４９】
決定ボタン３０１が押下されると、入力された用紙属性が用紙属性保存部１２１に保存され、そして識別子付与部１２２により、保存された用紙属性に識別子が付与され、該用紙属性と該識別子が対応付けられて用紙属性保存部１２１に保存される。
【００５０】
識別子付与部１２２により識別子が用紙属性に付与されて、用紙属性保存部１２１に識別子と用紙属性が対応付けられて保存されると、対応付けられた保存された識別子をユーザに示すために、ユーザが用紙属性の入力を行ったユーザインターフェース部に、対応付けられて保存された該識別子が図３（ｂ）に示すように表示される。
【００５１】
次に、画像形成装置１００のユーザインターフェース部１１０より、或いは情報処理装置５０−１〜５０−ｎの遠隔操作によるプリント制御装置３０のユーザインターフェース部より、用紙属性が入力されて、該用紙属性に対して識別子が付与される際に画像形成装置１００で行われる処理の処理フローについて図４を参照して説明する。
【００５２】
図４は、画像形成装置１００のユーザインターフェース部１１０より、或いは情報処理装置５０−１〜５０−ｎの遠隔操作によるプリント制御装置３０のユーザインターフェース部より、用紙属性が入力されて、該用紙属性に対して識別子が付与される際に画像形成装置１００で行われる処理の処理フローを示したフローチャートである。
【００５３】
画像形成装置１００のユーザインターフェース部１１０より、或いは情報処理装置５０−１〜５０−ｎの遠隔操作によるプリント制御装置３０のユーザインターフェース部より、用紙属性が入力されると（ステップ４０１）、入力された用紙属性が画像形成装置１００の用紙属性保存部１２１に保存される。
【００５４】
そして、用紙属性保存部１２１に保存された用紙属性に対して、識別子付与部１２２が識別子を付与して（ステップ４０２）、該識別子と該用紙属性とが対応付けられて用紙属性保存部１２１に保存される。
【００５５】
このように、給紙トレイに収納されたカスタム紙を画像形成する際に、カスタム紙に適した画像形成の制御を可能とする用紙属性の入力が画像形成装置１００に行われる。
【００５６】
次に、カスタム紙が収納される給紙トレイに用紙属性が設定される様子を給紙トレイ（給紙トレイａ）１３１ａと給紙トレイ（給紙トレイｂ）１３１ｂを示した図５を参照して説明する。
【００５７】
図５は、収納するカスタム紙に適した画像形成が行われるように、用紙属性が設定される給紙トレイを示した模式図であり、図５（ａ）は用紙属性が設定される給紙トレイ（給紙トレイａ）１３１ａを示した模式図であり、図５（ｂ）は用紙属性が設定される給紙トレイ（給紙トレイｂ）１３１ｂを示した模式図である。
【００５８】
ユーザは、カスタム紙を給紙トレイ（給紙トレイａ）１３１ａに収納して、該カスタム紙に適した画像形成が行われるようにするために、給紙トレイ（給紙トレイａ）１３１ａが備える用紙属性設定部１３２ａに、収納された該カスタム紙に適した画像形成を行うことが可能な用紙属性に対応する識別子の入力を行う。
【００５９】
このように、給紙トレイ（給紙トレイａ）１３１ａの用紙属性設定部１３２ａに識別子が入力されることにより、給紙トレイ（給紙トレイａ）１３１ａに用紙属性が設定され、給紙トレイ（給紙トレイａ）１３１ａに収納された用紙が使用された画像形成される際には、該用紙属性により収納された用紙に適した画像形成が行われる。
【００６０】
また、給紙トレイ（給紙トレイａ）１３１ａに入力した識別子を無効にして、給紙トレイ（給紙トレイａ）１３１ａへ用紙属性の設定がないようにするには、給紙トレイ（給紙トレイａ）１３１ａに備えられた図５（ａ）に示す解除ボタン１３３ａの押下によって行われる。
【００６１】
また、給紙トレイは、給紙トレイ（給紙トレイｂ）１３１ｂに示すように、識別子を入力する欄が、数字の識別子が入力される用紙属性設定部１３２ａとは異なり、用紙属性保存部１２１に保存された名称等の識別子が選択されることにより、識別子の入力が行われる用紙属性設定部１３２ｂを有するように構成されてもよい。
【００６２】
次に、給紙トレイに用紙紙を収納して、該用紙に適した画像形成が行われるように、該用紙が収納された給紙トレイに用紙属性の設定が行われる処理について図６を参照して説明を行う。
【００６３】
図６は、給紙トレイに用紙を収納して、該用紙が収納された給紙トレイに用紙属性の設定が行われる処理の処理フローを示したフローチャートである。
【００６４】
ユーザは、画像形成に使用される所望のカスタム紙を画像形成装置１００の給紙トレイを開けて収納する（ステップ６０１）。
【００６５】
そして、ユーザは、収納したカスタム紙を使用して適切に画像形成を行うように制御することが可能な用紙属性を該カスタム紙を収納した給紙トレイに設定するために、該給紙トレイの用紙属性設定部２０１より、当該用紙属性に対応する識別子の入力を行う（ステップ６０２）。
【００６６】
そして、画像形成に使用されるカスタム紙が収納されて識別子の入力が行われた給紙トレイが画像形成装置１００に閉じられる（ステップ６０３）。
【００６７】
このように処理されることにより、給紙トレイに、識別子に対応する用紙属性が設定される。
【００６８】
また、ユーザが、給紙トレイに、カスタム紙以外の、用紙属性の設定の必要のない普通紙を収納する場合には、給紙トレイに普通紙を収納して（ステップ６０１）、当該給紙トレイの用紙属性を解除する解除ボタンの押下を行って（ステップ６０２）、当該給紙トレイを画像形成装置１００に閉じる（ステップ６０３）。
【００６９】
このように処理されることにより、普通紙が画像形成されるように、給紙トレイの用紙属性の設定が解除される。
【００７０】
次に、給紙トレイ（給紙トレイａ）１３１ａにカスタム紙が収納されて、用紙属性設定部１３２ａに識別子が入力された後に、ユーザが、情報処理装置５０−１〜５０−ｎより、画像形成装置１００に文書の画像形成を依頼する印刷ジョブプロパティ画面について図７を参照して説明を行う。
【００７１】
図７は、給紙トレイ（給紙トレイａ）１３１ａにカスタム紙が収納されて、用紙属性設定部１３２ａに識別子が入力された後に、ユーザが、情報処理装置５０−１〜５０−ｎより、画像形成装置１００に文書の画像形成を依頼する印刷ジョブプロパティ画面７００を示した画面構成図である。
【００７２】
図７に示す印刷ジョブプロパティ画面７００は、ユーザが情報処理装置５０−１〜５０−ｎで作成した文書を画像形成する印刷ジョブをプリント制御装置３０で作成する際に、情報処理装置５０−１〜５０−ｎのディスプレイに開かれる画面である。
【００７３】
プリント制御装置３０にインストールされたプリンタドライバを情報処理装置５０−１〜５０−ｎを操作するユーザが遠隔操作することによって、情報処理装置５０−１〜５０−ｎのディスプレイ上に印刷ジョブプロパティ画面７００が表示される。
【００７４】
印刷ジョブプロパティ画面７００では、印刷ジョブの詳細内容を決定することができ、用紙サイズ（符合７０１）、給紙トレイ（符合７０２）、カスタム紙種指定（符合７０３）等の入力が行われる。
【００７５】
用紙サイズ（符合７０１）の欄は、画像形成に使用される用紙の用紙サイズの指定が行われる欄であり、印刷ジョブプロパティ画面７００では「Ａ４」が入力されている（符合７０４）。
【００７６】
また、給紙トレイ（符合７０２）の欄は、給紙が行われる給紙トレイの指定が入力される欄であり、印刷ジョブプロパティ画面７００では「自動選択」が入力されている（符合７０５）。
【００７７】
給紙トレイ（符合７０２）の欄に「自動選択」が入力されることにより、給紙が行われる給紙トレイの選択は、印刷ジョブプロパティ画面７００の用紙サイズ（符合７０１）、カスタム紙種指定（符合７０３）等の欄に入力された条件に合う給紙トレイが自動的に選択されることになる。
【００７８】
また、カスタム紙種指定（符合７０３）の欄は、用紙属性に対応する識別子の入力が行われ、印刷ジョブプロパティ画面７００では、「カスタム紙種１０」の識別子が入力されている（符合７０６）。
【００７９】
カスタム紙種指定（符合７０３）の欄に識別子が入力されることによって、入力された該識別子が給紙トレイに入力されていることが給紙トレイの選択条件に加わる。
【００８０】
また、カスタム紙種指定（符合７０３）の欄には、「カスタム紙種１０」のように識別子の番号だけでなく、番号は関係なく識別子の入力が行われた給紙トレイを選択するように条件が指定される「カスタム紙種」を入力することや、また、識別子の入力が行われていなく用紙属性が設定されていない給紙トレイを選択するように条件が指定される「カスタム紙種以外」を入力することが可能である。
【００８１】
次に、カスタム紙種指定の欄に「カスタム紙種以外」が入力された印刷ジョブプロパティ画面について図８を参照して説明を行う。
【００８２】
図８は、カスタム紙種指定の欄に「カスタム紙種以外」が入力された印刷ジョブプロパティ画面８００を示す画面構成図である。
【００８３】
図８に示すように、印刷ジョブプロパティ画面８００のカスタム紙種指定（符合８０３）の欄には、「カスタム紙種以外」が入力されている（符合８０６）。
【００８４】
このように、カスタム紙種指定（符合８０３）の欄に、「カスタム紙種以外」が入力されることによって、給紙トレイが選択される条件として、給紙トレイに識別子の入力が行われていなく用紙属性の設定が行われていない給紙トレイが選択されることが選択条件に加わる。
【００８５】
次に、ユーザが情報処理装置５０−１〜５０−ｎを使用して印刷ジョブを画像形成装置に送信する処理について図９を参照して説明を行う。
【００８６】
図９は、ユーザが情報処理装置５０−１〜５０−ｎを使用して印刷ジョブを画像形成装置に送信する処理フローを示したフローチャートである。
【００８７】
ユーザは、画像形成を依頼する文書を情報処理装置５０−１〜５０−ｎのいずれかの情報処理装置で作成すると（ステップ９０１）、遠隔操作によりプリント制御装置３０のプリンタドライバを開き、印刷ジョブの作成を行う。
【００８８】
印刷ジョブの作成の際には、プリンタドライバより開かれる印刷ジョブプロパティ画面で、カスタム紙種指定の欄に識別子を入力することや、画像形成に使用される用紙サイズ等の入力が行われる（ステップ９０２）。
【００８９】
ステップ９０１で作成された文書をステップ９０２の印刷ジョブプロパティ画面で入力された条件で画像形成されるように印刷ジョブが作成されると、該印刷ジョブが画像形成装置１００に送られる（ステップ９０３）。
【００９０】
次に、印刷ジョブが送られた画像形成装置１００において、画像形成が行われる処理フローを図１０を参照して説明する。
【００９１】
図１０は、印刷ジョブが送られた画像形成装置１００において、画像形成が行われる処理フローを示したフローチャートである。
【００９２】
画像形成装置１００は、印刷ジョブを受信すると（ステップ１００１）、印刷ジョブの内容に給紙トレイが選択される条件が自動選択になっていれば、さらに印刷ジョブの内容から、給紙トレイに収納される用紙サイズ（印刷ジョブプロパティ画面７００の用紙サイズ（符合７０１）の欄に記入された内容）と識別子（印刷ジョブプロパティ画面７００のカスタム紙種指定（符合７０３）の欄に記入された内容）とを参照して、該用紙サイズと該識別子との条件にあった給紙トレイを、画像形成装置１００が備える給紙トレイの中から制御部１２０が選択する（ステップ１００２）。
【００９３】
制御部１２０によって、印刷ジョブに記載された用紙サイズ（印刷ジョブプロパティ画面７００の用紙サイズ（符合７０１）の欄に記入された内容）と識別子（印刷ジョブプロパティ画面７００のカスタム紙種指定（符合７０３）に記入された内容）の条件に合う給紙トレイがあった場合（ステップ１００３でＹＥＳ）、例えば、印刷ジョブプロパティ画面７００に入力された内容では、給紙トレイに収納された用紙がＡ４サイズで、給紙トレイに入力された識別子がカスタム紙種１０を示す１０の識別子が入力された給紙トレイが画像形成装置１００に存在する場合、印刷ジョブに記された条件に合う給紙トレイとして該給紙トレイが選択される。
【００９４】
ここで、印刷ジョブの内容に給紙トレイが選択される条件が自動選択（印刷ジョブプロパティ画面７００の給紙トレイ（符合７０２）に記入される内容）になっていて、印刷ジョブに記載された識別子（印刷ジョブプロパティ画面７００のカスタム紙種指定（符合７０３）の欄に記入された内容）が、識別子の番号は関係なく識別子の入力が行われた給紙トレイを選択するように条件が指定される「カスタム紙種」であった場合には、識別子が入力された給紙トレイの中から印刷ジョブに記載された用紙サイズに合う用紙を収納している給紙トレイが選択される。
【００９５】
ここで、印刷ジョブの内容に給紙トレイが選択される条件が自動選択（印刷ジョブプロパティ画面７００の給紙トレイ（符合７０２）に記入される内容）になっていて、印刷ジョブに記載された識別子（印刷ジョブプロパティ画面８００のカスタム紙種指定（符合８０３）の欄に記入された内容）が、識別子の入力が行われていなく用紙属性が設定されていない給紙トレイが選択されるように条件が指定される「カスタム紙種以外」であった場合には、識別子の入力が行われていない給紙トレイの中から印刷ジョブに記載された用紙サイズに合う用紙を収納している給紙トレイが選択される。
【００９６】
ここで、印刷ジョブの内容に給紙トレイが選択される条件が自動選択（印刷ジョブプロパティ画面７００の給紙トレイ（符合７０２）に記入される内容）になっておらず、特定の給紙トレイが選択された場合には、さらに、該印刷ジョブに記載されている用紙サイズ、カスタム紙種指定の条件が、当該給紙トレイに合うか否かが制御部１２０、用紙属性設定検知部１２３によって判別され、すべて条件に合えば当該給紙トレイが選択され、条件がひとつでも合わない場合には、画像形成処理がフォルトとなり、印刷再開の為の処理が行われる（定義済みステップ１００８）。
【００９７】
給紙トレイが選択されると、給紙装置に設定された用紙属性の制御により印刷ジョブに含まれる画像データ中の１ページの画像形成が画像形成部１３０で行われる（ステップ１００４）。
【００９８】
また、印刷ジョブに記載された識別子（印刷ジョブプロパティ画面８００のカスタム  紙種指定（符合８０３）の欄に記入された内容）が「カスタム紙種以外」であった場合には、標準の設定により、印刷ジョブに含まれる画像データ中の１ページの画像形成が画像形成部１３０で行われる（ステップ１００４）。
【００９９】
１ページの画像形成が行われると、印刷ジョブ中に含まれる画像データが全て画像形成されて印刷ジョブが終了していない場合には（ステップ１００５でＮＯ）、用紙切れが発生したか否かが制御部１２０によって確認され、用紙切れが発生していなければ（ステップ１００６でＮＯ）、再び印刷ジョブ中に含まれる画像データ中の１ページの画像形成が行われる（ステップ１００４）。
【０１００】
また、用紙切れの発生が制御部１２０で確認されると（ステップ１００６でＹＥＳ）、他の給紙トレイが選択されて画像形成が続行される機能であるＡＴＳ（Auto Tray Switching）により給紙トレイが選択されるが、その選択の際にも、ステップ１００２で給紙トレイが自動選択されたように、印刷ジョブの内容に記載された用紙サイズ（印刷ジョブプロパティ画面７００の用紙サイズ（符合７０１）の欄に記入された内容）と識別子（印刷ジョブプロパティ画面７００のカスタム紙種指定（符合７０３）の欄に記入された内容）との条件に合う給紙トレイが選択される（ステップ１００７）。
【０１０１】
そして、１ページの画像形成が行われ（ステップ１００４）、印刷ジョブ中の画像データが全て画像形成されると（ステップ１００５でＹＥＳ）、処理は終了される。
【０１０２】
また、ステップ１００２で給紙トレイが選択される際に、印刷ジョブに記載された条件に合う給紙トレイがなかった場合には（ステップ１００３でＮＯ）、画像形成処理がフォルトとなり、印刷再開の為の処理が行われる（定義済み処理のステップ１００８）。
【０１０３】
なお、印刷ジョブに記載された識別子（印刷ジョブプロパティ画面８００のカスタム紙種指定（符合８０３）の欄に記入された内容）が「カスタム紙種以外」であった場合に、識別子の入力が行われていない給紙トレイの中から印刷ジョブに記載された用紙サイズに合う用紙を収納している給紙トレイがないと制御部１２０によって判別された場合にも、画像形成処理がフォルトとなり、印刷再開の為の処理が行われる（定義済み処理のステップ１００８）。
【０１０４】
次に、給紙トレイが選択されずに、印刷再開の為に、画像形成装置１００で行われる処理（定義済み処理のステップ１００８）について図１１を参照して説明を行う。
【０１０５】
図１１は、画像形成装置１００において、印刷ジョブに記載された条件に合う給紙トレイがなかった場合（ステップ１００３でＮＯ）に行われる、定義済み処理のステップ１００８の内容であり、印刷再開の為の処理フローを示したフローチャートであり、図１１（ａ）は給紙トレイに入力された識別子を印刷ジョブに記載された内容に変化させて印刷を行う処理を示したフローチャートであり、図１１（ｂ）は、次の印刷ジョブの内容を確認して、該次の印刷ジョブの内容記載された条件に合う給紙トレイが存在する場合には、処理中の印刷ジョブを保留にして、該次の印刷ジョブの画像形成を先に行うようする処理を示したフローチャートである。
【０１０６】
図１１（ａ）に示すように、画像形成装置１００で、受信した印刷ジョブに記載された条件に合う給紙トレイがなかった場合（ステップ１００３でＮＯ）には、給紙トレイに入力された識別子を変更することで、給紙トレイに設定された用紙属性を変更して、印刷ジョブに記載された識別子と同じにすることで、印刷ジョブに記載された条件に合う給紙トレイを作成する（ステップ１１０１）。
【０１０７】
そして、給紙トレイに設定された用紙属性を変化させることで、印刷ジョブに記載された条件に合う給紙トレイが存在するようになると、該給紙トレイが印刷に使用される給紙トレイとして選択され、処理がステップ１００４に進み、該給紙トレイで画像形成が行われる（ステップ１００４）。
【０１０８】
また、定義済み処理のステップ１００８は、図１１（ａ）を参照して説明したフローチャートの処理だけではなく、次に説明する、図１１（ｂ）を参照して説明するフローチャートの処理が行われてもよい。
【０１０９】
図１１（ｂ）に示すように、画像形成装置１００で、受信した印刷ジョブに記載された条件に合う給紙トレイがなかった場合（ステップ１００３でＮＯ）には、処理中の印刷ジョブの次の印刷ジョブの内容を調べ、該次の印刷ジョブに記載された用紙サイズ（印刷ジョブプロパティ画面７００の用紙サイズ（符合７０１）の欄に記入された内容）と識別子（印刷ジョブプロパティ画面７００のカスタム紙種指定（符合７０３）の欄に記入された内容）の条件に合う給紙トレイが存在する場合には（ステップ１１０２でＹＥＳ）、現在処理中の印刷ジョブを保留して、該次の印刷ジョブの画像形成を行うように制御部１２０によって処理される。
【０１１０】
また、次の印刷ジョブに記載された条件に合う給紙トレイも存在しない場合には（ステップ１１０２でＮＯ）、画像形成処理は終了される。
【０１１１】
このように画像形成装置１００で処理が行われることにより、用紙属性設定による画像形成が必要なカスタム紙と用紙属性設定の必要のない普通紙とを区別した画像形成指示が行われる。
【０１１２】
なお、本実施例では、図１０に示したフローチャートのステップ１００２で、印刷ジョブに記載された内容の、用紙サイズ（印刷ジョブプロパティ画面７００の用紙サイズ（符合７０１）の欄に記入された内容）と識別子（印刷ジョブプロパティ画面７００のカスタム紙種指定（符合７０３）に記入された内容）のどちらの条件にも合う給紙トレイがなかった場合には（ステップ１００３でＮＯ）、処理がフォルトとなり、すぐには画像形成が開始されないように説明したが、該用紙サイズの条件に合う給紙トレイがなかった場合に処理がフォルトとなって（ステップ１００３でＮＯに進む）、すぐには画像形成が開始されないようにすることもできるし、或いは、該識別子の条件に合う給紙トレイがなかった場合に処理がフォルトとなって（ステップ１００３でＮＯに進む）、すぐには画像形成が開始されないようにすることもでき、また、このように、該用紙サイズの条件に合う給紙トレイがなかった場合に処理をフォルトとしてすぐには画像形成が開始されないようにした場合には、ステップ１００７でＡＴＳ処理される際にも、該用紙サイズの条件に合う給紙トレイが自動選択されるように処理され、或いは、該識別子の条件に合う給紙トレイがなかった場合に処理をフォルトとしてすぐには画像形成が開始されないようにした場合には、ステップ１００７でＡＴＳ処理される際にも、該識別子の条件に合う給紙トレイが自動選択されるように処理されるようにすることができる。
【０１１３】
なお、画像形成装置１００において、画像形成装置１００が行われる際に、用紙切れが発生して、ＡＴＳ処理により給紙トレイが自動選択される際に、画像形成装置１００内の給紙トレイに設定された用紙属性を変更して、給紙トレイに設定される用紙属性を画像形成中の印刷ジョブに記載された識別子（印刷ジョブプロパティ画面７００のカスタム紙種指定（符合７０３）に記入された内容）に対応する用紙属性に設定することで、該印刷ジョブに記載された条件に合う給紙トレイを作成し、作成した給紙トレイが選択されて画像形成が行われるようにしてもよい。
【０１１４】
なお、画像形成される文書は、情報処理装置５０−１〜５０−ｎで作成された文書だけでなく、画像読取装置４０で読取られた文書や、外部記憶装置から情報処理装置５０−１〜５０−ｎにダウンロードされた文書も画像形成対象の文書とする。
【０１１５】
なお、用紙属性を画像形成装置１００に入力することができるユーザインターフェース部は、画像形成装置１００とプリント制御装置３０だけでなく、画像読取装置４０、情報処理装置５０−１〜５０−ｎにも備えられるようにしてもよい。
【０１１６】
また、ジョブプロパティ画面７００、８００が開かれるプリンタドライバは、プリント制御装置３０だけでなく、情報処理装置５０−１〜５０−ｎにインストールされてもよい。
【産業上の利用可能性】
【０１１７】
この発明は、用紙を収納する１または複数の給紙装置を有して、給紙装置に収納されている用紙に適した用紙属性を給紙装置に設定して、給紙装置に収納された用紙に適した画像形成を可能とする画像形成装置において利用可能である。
【０１１８】
この発明によれば、用紙属性設定による画像形成が必要なカスタム紙と用紙属性設定の必要のない普通紙とを区別した画像形成指示が行われる。
【図面の簡単な説明】
【０１１９】
【図１】本発明に係わる画像形成装置およびその制御方法が提供される画像形成装置の一概略構成例を示すブロック図。
【図２】本実施例の画像形成装置１００の要部機能構成を示すブロック図。
【図３】ユーザによって、用紙属性保存部１２１に保存される用紙属性が、画像形成装置１００のユーザインターフェース部１１０或いはプリント制御装置３０のユーザインターフェース部より入力され、そして識別子付与部１２２によって識別子が入力される様子を示したユーザインターフェースの画面を示した画面構成図。
【図４】画像形成装置１００のユーザインターフェース部１１０より、或いは情報処理装置５０−１〜５０−ｎの遠隔操作によるプリント制御装置３０のユーザインターフェース部より、用紙属性が入力されて、該用紙属性に対して識別子が付与される際に画像形成装置１００で行われる処理の処理フローを示したフローチャート。
【図５】収納するカスタム紙に適した画像形成が行われるように、用紙属性が設定される給紙トレイを示した模式図。
【図６】給紙トレイに用紙を収納して、該用紙が収納された給紙トレイに用紙属性の設定が行われる処理の処理フローを示したフローチャート。
【図７】給紙トレイ（給紙トレイａ）１３１ａにカスタム紙が収納されて、用紙属性設定部１３２ａに識別子が入力された後に、ユーザが、情報処理装置５０−１〜５０−ｎより、画像形成装置１００に文書の画像形成を依頼する印刷ジョブプロパティ画面７００を示した画面構成図。
【図８】カスタム紙種指定の欄に「カスタム紙種以外」が入力された印刷ジョブプロパティ画面８００を示す画面構成図。
【図９】ユーザが情報処理装置５０−１〜５０−ｎを使用して印刷ジョブを画像形成装置に送信する処理フローを示したフローチャート。
【図１０】印刷ジョブが送られた画像形成装置１００において、画像形成が行われる処理フローを示したフローチャート。
【図１１】画像形成装置１００において、印刷ジョブに記載された条件に合う給紙トレイがなかった場合（ステップ１００３でＮＯ）に行われる、定義済み処理のステップ１００８の内容であり、印刷再開の為の処理フローを示したフローチャート。
【符号の説明】
【０１２０】
２０    ネットワーク
３０    プリント制御装置
４０    画像読取装置
５０−１〜５０−ｎ    情報処理装置
１００    画像形成装置
１１０    ユーザインターフェース部
１２０    制御部
１２１    用紙属性保存部
１２２    識別子付与部
１２３    用紙属性設定検知部
１２４    用紙属性設定有効部
１３０    画像形成部
１３１ａ    給紙トレイａ
１３１ｂ    給紙トレイｂ
１３１ｃ    給紙トレイｃ
１３１ｄ    給紙トレイｄ
１３２ａ    用紙属性設定部
１３２ｂ    用紙属性設定部
１３２ｃ    用紙属性設定部
１３２ｄ    用紙属性設定部
【図１】
0004730047.tif 000002
【図２】
0004730047.tif 000003
【図３】
0004730047.tif 000004
【図４】
0004730047.tif 000005
【図５】
0004730047.tif 000006
【図６】
0004730047.tif 000007
【図７】
0004730047.tif 000008
【図８】
0004730047.tif 000009
【図９】
0004730047.tif 000010
【図１０】
0004730047.tif 000011
【図１１】
0004730047.tif 000012